(57)【要約】  データ信号に対する効率的なリソース割当を実現する基地局、中継局、送信方法、及び受信方法。中継局宛の下り制御信号を、Ｍ（Ｍは、２以上の自然数）個のリソースブロックから構成される割当領域（R-PDCCH割当領域候補）にマッピングして送信する基地局１００において、割当領域候補決定部１０１が、Ｍ個のリソースブロックを、Ｎ（Ｎは、Ｍより小さい自然数）個の割当領域グループに分配すると共に、各割当領域グループを配置するＮ個のリソースブロックグループを決定し、制御信号割当部１０２が、中継局宛の下り制御信号を、各割当領域グループを構成するリソースブロック数と決定されたＮ個のリソースブロックグループとに基づいて特定されるＭ個のリソースブロックにマッピングする。
2012020536.tif 000002
【特許請求の範囲】
【請求項１】
中継局宛の下り制御信号を、Ｍ（Ｍは、２以上の自然数）個のリソースブロックから構成される割当領域にマッピングして送信する基地局であって、
前記Ｍ個のリソースブロックを、Ｎ（Ｎは、Ｍより小さい自然数）個の割当領域グループに分配すると共に、各割当領域グループを配置するＮ個のリソースブロックグループを決定する決定手段と、
前記中継局宛の下り制御信号を、各割当領域グループを構成するリソースブロック数と前記Ｎ個のリソースブロックグループとに基づいて特定されるＭ個のリソースブロックにマッピングするマッピング手段と、
を具備する基地局。
【請求項２】
前記決定手段は、１リソースブロック単位で前記Ｍ個のリソースブロックを分配する、
請求項１に記載の基地局。
【請求項３】
前記決定手段は、前記リソースブロックグループを構成するリソースブロックの数を単位として前記Ｍ個のリソースブロックを分配する、
請求項１に記載の基地局。
【請求項４】
前記決定手段は、前記割当領域を構成するリソースブロックの数Ｍ、システム帯域幅、又は、前記リソースブロックグループを構成するリソースブロックの数に基づいて、前記割当領域グループの数Ｎを決定する、
請求項１に記載の基地局。
【請求項５】
前記リソースブロックグループは、複数のサブセットに分類され、
前記中継局宛の下り制御信号がマッピングされるＭ個のリソースブロックは、同一のサブセットに属する、
請求項１に記載の基地局。
【請求項６】
自局宛の下り制御信号を、Ｍ（Ｍは、２以上の自然数）個のリソースブロックから構成される割当領域で受信する中継局であって、
前記Ｍの値、前記Ｍ個のリソースブロックを分配する割当領域グループの数Ｎ（Ｎは、Ｍより小さい自然数）、及び各割当領域グループに割り当てられるリソースブロックグループの識別情報を含む割当領域情報を受信する受信手段と、
前記Ｍの値及び前記Ｎの値に基づいて、前記Ｍ個のリソースブロックを、Ｎ（Ｎは、Ｍより小さい自然数）個の割当領域グループに分配し、各割当領域グループを構成するリソースブロック数と前記リソースブロックグループの識別情報とに基づいて前記自局宛の下り制御信号がマッピングされているＭ個のリソースブロックを特定する特定手段と、
を具備する中継局。
【請求項７】
前記特定手段は、１リソースブロック単位で前記Ｍ個のリソースブロックを分配する、
請求項６に記載の中継局。
【請求項８】
前記特定手段は、前記リソースブロックグループを構成するリソースブロックの数を単位として前記Ｍ個のリソースブロックを分配する、
請求項６に記載の中継局。
【請求項９】
前記リソースブロックグループは、複数のサブセットに分類され、
前記自局宛の下り制御信号がマッピングされるＭ個のリソースブロックは、同一のサブセットに属する、
請求項６に記載の中継局。
【請求項１０】
中継局宛の下り制御信号を、Ｍ（Ｍは、２以上の自然数）個のリソースブロックから構成される割当領域にマッピングして送信する送信方法であって、
前記Ｍ個のリソースブロックを、Ｎ（Ｎは、Ｍより小さい自然数）個の割当領域グループに分配し、
各割当領域グループを配置するＮ個のリソースブロックグループを決定し、
前記中継局宛の下り制御信号を、各割当領域グループを構成するリソースブロック数と前記Ｎ個のリソースブロックグループとに基づいて特定されるＭ個のリソースブロックにマッピングする、
送信方法。
【請求項１１】
自局宛の下り制御信号を、Ｍ（Ｍは、２以上の自然数）個のリソースブロックから構成される割当領域で受信する受信方法であって、
前記Ｍの値、前記Ｍ個のリソースブロックを分配する割当領域グループの数Ｎ（Ｎは、Ｍより小さい自然数）、及び各割当領域グループに割り当てられるリソースブロックグループの識別情報を含む割当領域情報を受信し、
前記Ｍの値及び前記Ｎの値に基づいて、前記Ｍ個のリソースブロックを、Ｎ（Ｎは、Ｍより小さい自然数）個の割当領域グループに分配し、
各割当領域グループを構成するリソースブロック数と前記リソースブロックグループの識別情報とに基づいて前記自局宛の下り制御信号がマッピングされているＭ個のリソースブロックを特定する、
受信方法。
【発明の詳細な説明】
【技術分野】
【０００１】
本発明は、基地局、中継局、送信方法、及び受信方法に関する。
【背景技術】
【０００２】
近年、セルラ移動体通信システムにおいては、情報のマルチメディア化に伴い、音声データのみならず、静止画像データ及び動画像データ等の大容量データを伝送することが一般化しつつある。大容量データの伝送を実現するために、高周波の無線帯域を利用して高伝送レートを実現する技術に関する検討が盛んになされている。【０００３】
しかし、高周波の無線帯域を利用する場合には、近距離では高伝送レートを期待できる一方、遠距離になるに従って伝送距離による減衰が大きくなる。よって、高周波の無線帯域を利用した移動体通信システムを実際に運用する場合には、無線通信基地局装置（以下、「基地局」と省略する）のカバーエリアが小さくなるため、より多くの基地局を設置する必要がある。基地局の設置には相応のコストがかかる。従って、基地局数の増加を抑制しつつ、高周波の無線帯域を利用した通信サービスを実現するための技術が強く求められている。【０００４】
このような要求に対し、各基地局のカバーエリアを拡大させるために、基地局と無線通信移動局装置（以下、「移動局」と省略する）との間に、無線通信中継局装置（以下、「中継局」と省略する）を設置し、基地局と移動局との間の通信を中継局を介して行う、中継送信技術が検討されている。中継（Relay）技術を用いると、基地局と直接通信できない移動局も、中継局を介して通信することができる。【０００５】
上記した中継技術の導入が検討されているＬＴＥ−Ａ（Long Term Evolution Advanced）システムに対しては、ＬＴＥ（Long Term Evolution）からのスムーズな移行及びＬＴＥとの共存の観点から、ＬＴＥとの互換性を維持することが要求されている。そのため、Ｒｅｌａｙ技術に関しても、ＬＴＥとの相互互換性が求められている。ＬＴＥ−Ａシステムでは、ＬＴＥとの相互互換性を達成するために、下り回線（Down Link；以下、「DL」という）において、基地局から中継局への送信時に、MBSFN（MBMS Single Frequency Network）サブフレームを設定することが検討されている。【０００６】
ここで、中継局を介して行われる基地局と移動局との間の通信は、時分割中継（つまり、TD relay）によって行われる。図１は、TD relayの説明に供する図である。図１Ａは、下り回線でのTD relayを説明するための概念図であり、図１Ｂは、上り回線でのTD relay説明するための概念図である。TD relay（half duplex relayまたはType1 relayとも呼ばれる）では、基地局から中継局の送信と、中継局から移動局の送信とが、時間で分割される。【０００７】
図１Ｂに示すように、上り回線では、サブフレーム#2では、アクセスリンク（Access link）で移動局から中継局への送信が行われ、サブフレーム#3では、バックホールリンク（Backhaul link）で中継局から基地局への通信が行われる。そして、サブフレーム#4では、再び、移動局から中継局への送信が行われる。【０００８】
同様に、図１Ａに示すように、下り回線では、サブフレーム#2では、アクセスリンクで中継局から移動局への送信が行われ、サブフレーム#3では、バックホールリンクで基地局から中継局への通信が行われる。そして、サブフレーム#4では、再び、中継局から移動局への送信が行われる。【０００９】
上述のように、バックホールの通信と、Relayのアクセスリンクの通信とを時間軸で分割することにより、中継局が送信する時間と受信する時間とを分割することができる。従って、中継局は、送信アンテナと受信アンテナと間の回りこみの影響を受けずに、中継することができる。【００１０】
また、下り回線では、MBSFNサブフレームをアクセスリンクに設定する。「MBSFNサブフレーム」とは、MBMS（Multimedia Broadcast Multicast Service）データを送信するために定義されたサブフレームである。ＬＴＥ端末は、MBSFNサブフレームでは参照信号を利用しないという動作が定められている。【００１１】
そこで、ＬＴＥ−Ａでは、中継局が基地局と通信するバックホールリンク用サブフレームと重なる、アクセスリンク用サブフレームを、MBSFNサブフレームに設定する手法が提案されている。この提案により、ＬＴＥ端末が参照信号を誤検出することを回避することができる。【００１２】
図２には、ＬＴＥシステムのサブフレームを用いた場合の、基地局、中継局、及び移動局の各局に対する制御信号及びデータの割当状況の一例が示されている。図２に示すように、ＬＴＥシステムでは、各局で送信又は受信される下り制御信号は、サブフレームの先頭部分のPDCCH（Physical Downlink Control Channel）領域に配置される。すなわち、基地局及び中継局の両方とも、サブフレームの先頭部分のPDCCH領域で制御信号を送信することになる。中継局に着目すると、ＭＢＳＦＮサブフレームであっても移動局へ下り制御信号を送信しなければならないので、中継局は、制御信号を移動局へ送信し、その後に受信処理へ切り替えることにより、基地局から送信された信号の受信に備える。しかしながら、中継局が下り制御信号を移動局へ送信しているタイミングで基地局も中継局宛の下り制御信号を送信しているので、中継局は、基地局から送信された下り制御信号を受信することができない。このような不都合を回避するために、ＬＴＥ−Ａでは、データ領域に、中継局用の下り制御信号を配置する領域（R-PDCCH（Relay用PDCCH）領域）を設けることが検討されている。【００１３】
ＬＴＥでは、DLのデータ割り当てを指示するDL grant、及び、ULのデータ割り当てを指示するDL grantが、PDCCHに含まれる。ＬＴＥ−Ａでも、DL grant及びDL grantをR-PDCCHに含めることが検討されている。さらに、R-PDCCHでは、DL grantを1st slotに配置し、UL grantを2nd slotに配置することが検討されている（非特許文献１、２参照）。こうしてDL grantを1st slotのみに配置することで、DL grantの復号遅延を短くし、DLデータに対するACK/NACKの送信(FDDでは、DL grantの受信から４サブフレーム後に送信される)に備えることができる。また、図３に示すように、R-PDCCH領域が設けられる物理層のリソースブロック（PRB）を中継局ごとに異ならせることも、検討されている。このようにして基地局からR-PDCCH領域を用いて送信された下り制御信号を、中継局は、基地局からhigher layer signalingによって指示されたリソース領域内でブラインド復号することにより、自局宛の下り制御信号を見つける。【００１４】
次に、下りデータチャネル（PDSCH）の割当方法について説明する。PDSCHの割当方法としては、type0、type1、type2の３種類がある。type0の割当では、RBG(Resource Block Group)単位でPDSCHが割り当てられる。type1の割当では、RB単位でPDSCHが割り当てられる。type2の割当では、連続したRBが割り当てられ、開始RBと終了RBとが通知される。ここで、RBGとは、複数のRBをまとめた単位である。ＬＴＥでは、システム帯域内のRB数によって、RBGのサイズが定められている（図４参照）。【００１５】
Type0の割当によれば、少ないビット数で多くのRBを指定することができるので、システム帯域内の全てのRBを割り当てることができる。また、Type1の割当では、RBGごとにサブセットが定められる。すなわち、サブセットとは、RBGのグループである。このため、Type1の割当では、割り当てられたサブセットを構成するRBGに含まれるRBを割り当てることできる一方で、割り当てることができないRBも存在する。具体例を図５に示す。図５では、RBGサイズが３ＲＢであり、割当ビット列が、“1，0，1，1，0，0”であることが前提とされている。この割当ビット列によれば、type0の割当では、RBG#0、#2、#3に割り当てがあることを示される。すなわち、RBG#0に含まれるRB#0，RB#1，RB#2と、RBG#2に含まれるRB#6，RB#7，RB#8と、RBG#3に含まれるRB#9，RB#10，RB#11とが割り当てられる。一方、Type1の割当では、さらにどのサブセットが割り当てられるかという情報が必要である。ここでは、サブセット#0が割り当てられているとする。図５において、サブセット＃0には、RBG#0とRBG#3とが含まれている。従って、上記した割当ビット列によれば、RBG#0及びRBG#3に含まれるRB#0，RB#1，RB#2，RB#9，RB#10，RB#11のうち、ビット”1”が割り当てられているRB#0，RB#2，RB#9が割り当てられる。このようにtype1の割当では、サブセットに含まれるRBGのみを割り当てることができるので、システム帯域に含まれる全てのRBを割り当てることはできない。【００１６】
また、ＬＴＥ−Ａでは、複数の中継局宛の複数の下り制御信号を、R-PDCCH領域のRBに割り当てる前にインタリーブして送信する方法と、インタリーブせずに送信する方法との２つの方法が検討されている。【００１７】
インタリーブして送信する場合には、複数の下り制御信号で複数のR-PDCCH領域を共有することになるので、各下り制御信号が配置されるRB数が多くなるという特徴がある。下り制御信号が配置されるRB数が多くなると、ダイバーシチゲインを得やすくなる。また、インタリーブして送信する場合には、一緒にインタリーブされる複数の中継局宛の下り制御信号（以下、「インタリーブグループ」と呼ばれることがある）が配置されるRBの数（つまり、R-PDCCH領域の数）が設定される。このインタリーブグループが配置されるRBの数は、「virtual band width」と呼ばれる。【００１８】
インタリーブをせずに送信する場合には、１つのRBには１つの中継局宛の下り制御信号のみが含まれる。従って、１つの中継局宛の下り制御信号が配置されるRBの数が少なくなるので、ダイバーシチゲインを得にくいという特徴がある。しかしながら、中継局ごとに回線品質の良いRBに割り当てることができるので、スケジューリングゲインを得ることができる。【００１９】
ＬＴＥ−Ａでは、中継局宛の下り制御信号が割り当てられたRBGにおいて、その中継局宛の下りデータ信号（R-PDSCH(relay用PDSCH)信号）を割り当てる方法についての検討がされている（例えば、非特許文献１参照)。図６には、下り制御信号がインタリーブされて送信される方法及びType0の割当方法が採用されている場合の例が示されている。対象RBGに対応する割当ビットが”1”の場合には、DL grantが配置されたRBの2nd slot部分(図６中の(b)で示される部分)、及び、DL grant が配置されていないRB(図６中の(c)部分)が、下りデータ信号を配置する領域（R-PDSCH領域）として割り当てられる。一方、対象RBGに対応する割当ビットが”0”の場合には、そのRBGには下りデータ信号を配置する領域は割り当てられない。
【先行技術文献】
【非特許文献】
【００２０】
【非特許文献１】R1-102700, Backhaul Control Channel Design in Downlink, LGE
【非特許文献２】R1-102881, R-PDCCH placement, Panasonic
【発明の概要】
【発明が解決しようとする課題】
【００２１】
ところで、中継局宛の下り制御信号を割り当てたRBGではR-PDCCH領域を避けてR-PDSCH領域が割り当てられるので、中継局に対してR-PDSCH領域を割り当てることができる。しかしながら、中継局宛の下り制御信号を割り当てたRBGにおける、R-PDCCH領域を除いたリソース領域を、type0の割当を使用する移動局に対して割り当てることはできない。なぜならば、移動局は、中継局宛の下り制御信号の存在自体を認識することができないので、RBGに含まれるRB全てを移動局に割り当てられたと認識してしまうからである。従って、中継局宛の下り制御信号を割り当てるRBGの数が多くなると、移動局に対して割り当てることができないRBGの数が多くなってしまうことになる。【００２２】
また、上記の通り、中継局宛の下り制御信号をインタリーブして送信する場合には、virtual band widthが設定される。Virtual band widthは１つの中継局に対して１つ設定される。また、基地局は、複数の中継局のそれぞれに対して異なるvirtual band widthを設定することができる。従って、基地局が設定するvirtual band widthの数が増えると、移動局に対して割り当てることができないRBGの数がさらに多くなる。【００２３】
図７に、２つのvirtual band widthが設定された場合のR-PDSCH領域の割当の一例を示す。図７に示すように、Virtual band width１は、中継局１及び中継局２に設定され、virtual band width２は、中継局３及び中継局４に設定されている。Virtual band width１，２ともに、その値は４である。図７では、RBG#0〜#7のうち、Virtual band width１に対応するインタリーブグループ１は、偶数RBGの先頭RBに配置されており、Virtual band width２に対応するインタリーブグループ２は、奇数RBGの先頭RBに配置されている。このような場合には、RBG#0〜RBG#7の全てに、いずれかのインタリーブグループが配置されているので、移動局に対してはRBG#0〜RBG#7のいずれも割当てることができない。【００２４】
本発明の目的は、データ信号に対する効率的なリソース割当を実現する基地局、中継局、送信方法、及び受信方法を提供することである。
【課題を解決するための手段】
【００２５】
本発明の一態様の基地局は、中継局宛の下り制御信号を、Ｍ（Ｍは、２以上の自然数）個のリソースブロックから構成される割当領域にマッピングして送信する基地局であって、前記Ｍ個のリソースブロックを、Ｎ（Ｎは、Ｍより小さい自然数）個の割当領域グループに分配すると共に、各割当領域グループを配置するＮ個のリソースブロックグループを決定する決定手段と、前記中継局宛の下り制御信号を、各割当領域グループを構成するリソースブロック数と前記Ｎ個のリソースブロックグループとに基づいて特定されるＭ個のリソースブロックにマッピングするマッピング手段と、を具備する。【００２６】
本発明の一態様の中継局は、自局宛の下り制御信号を、Ｍ（Ｍは、２以上の自然数）個のリソースブロックから構成される割当領域で受信する中継局であって、前記Ｍの値、前記Ｍ個のリソースブロックを分配する割当領域グループの数Ｎ（Ｎは、Ｍより小さい自然数）、及び各割当領域グループに割り当てられるリソースブロックグループの識別情報を含む割当領域情報を受信する受信手段と、前記Ｍの値及び前記Ｎの値に基づいて、前記Ｍ個のリソースブロックを、Ｎ（Ｎは、Ｍより小さい自然数）個の割当領域グループに分配し、各割当領域グループを構成するリソースブロック数と前記リソースブロックグループの識別情報とに基づいて前記自局宛の下り制御信号がマッピングされているＭ個のリソースブロックを特定する特定手段と、を具備する。【００２７】
本発明の一態様の送信方法は、中継局宛の下り制御信号を、Ｍ（Ｍは、２以上の自然数）個のリソースブロックから構成される割当領域にマッピングして送信する送信方法であって、前記Ｍ個のリソースブロックを、Ｎ（Ｎは、Ｍより小さい自然数）個の割当領域グループに分配し、各割当領域グループを配置するＮ個のリソースブロックグループを決定し、前記中継局宛の下り制御信号を、各割当領域グループを構成するリソースブロック数と前記Ｎ個のリソースブロックグループとに基づいて特定されるＭ個のリソースブロックにマッピングする。【００２８】
本発明の一態様の受信方法は、自局宛の下り制御信号を、Ｍ（Ｍは、２以上の自然数）個のリソースブロックから構成される割当領域で受信する受信方法であって、前記Ｍの値、前記Ｍ個のリソースブロックを分配する割当領域グループの数Ｎ（Ｎは、Ｍより小さい自然数）、及び各割当領域グループに割り当てられるリソースブロックグループの識別情報を含む割当領域情報を受信し、前記Ｍの値及び前記Ｎの値に基づいて、前記Ｍ個のリソースブロックを、Ｎ（Ｎは、Ｍより小さい自然数）個の割当領域グループに分配し、各割当領域グループを構成するリソースブロック数と前記リソースブロックグループの識別情報とに基づいて前記自局宛の下り制御信号がマッピングされているＭ個のリソースブロックを特定する。
【発明の効果】
【００２９】
本発明によれば、データ信号に対する効率的なリソース割当を実現する基地局、中継局、送信方法、及び受信方法を提供することができる。
【図面の簡単な説明】
【００３０】
【図１】時分割中継（TD relay）の説明に供する図
【図２】ＬＴＥシステムのサブフレームを用いた場合の、基地局、中継局、及び移動局の各局に対する制御信号及びデータの割当状況の一例を示す図
【図３】R-PDCCHの配置例を示す図
【図４】ＬＴＥにおけるシステム帯域内のRB数とRBGのサイズとの対応関係を示す図
【図５】下りデータチャネルの割当方法の説明に供する図
【図６】下りデータチャネルの割当方法の説明に供する図
【図７】２つのvirtual band widthが設定された場合のR-PDSCH領域の割当例を示す図
【図８】本発明の実施の形態１に係る基地局１００の主要構成図
【図９】本発明の実施の形態１に係る中継局２００の主要構成図
【図１０】本発明の実施の形態１に係る基地局１００の構成を示すブロック図
【図１１】本発明の実施の形態１に係る中継局２００の構成を示すブロック図
【図１２】本発明の実施の形態１に係る割当領域候補の決定処理の説明に供する図
【図１３】比較技術の説明に供する図
【図１４】比較技術の説明に供する図
【図１５】本発明の実施の形態１に係る割当領域候補の決定処理の説明に供する図
【図１６】本発明の実施の形態１に係る割当領域候補の決定処理の説明に供する図
【図１７】本発明の実施の形態２に係る割当領域候補の決定処理の説明に供する図
【図１８】本発明の実施の形態３に係る割当領域候補の決定処理の説明に供する図
【図１９】割当領域候補の決定処理の説明に供する図
【図２０】本発明の他の実施の形態に係る下りデータチャネルの割当方法の説明に供する図
【図２１】本発明の他の実施の形態に係る割当領域候補の決定処理の説明に供する図
【図２２】本発明の他の実施の形態に係る下りデータチャネルの割当方法の説明に供する図
【図２３】図２２で説明された下りデータチャネルの割当方法を比較技術に適用した例を示す図
【発明を実施するための形態】
【００３１】
以下、本発明の実施の形態について図面を参照して詳細に説明する。なお、実施の形態において、同一の構成要素には同一の符号を付し、その説明は重複するので省略する。
【００３２】
[実施の形態１]
[通信システムの概要]
本発明の実施の形態１に係る通信システムは、基地局１００と中継局２００とを有する。基地局１００は、例えば、ＬＴＥ−Ａ基地局であり、中継局２００は、ＬＴＥ−Ａ中継局である。基地局１００は、中継局２００宛の下り制御信号を、Ｍ（Ｍは、２以上の自然数）個のリソースブロックから構成される割当領域（R-PDCCH割当領域候補）にマッピングして送信する。中継局２００は、自局宛の下り制御信号を、Ｍ（Ｍは、２以上の自然数）個のリソースブロックから構成される割当領域で受信する。
【００３３】
図８は、本発明の実施の形態１に係る基地局１００の主要構成図である。基地局１００において、割当領域候補決定部１０１は、Ｍ個のリソースブロックを、Ｎ（Ｎは、Ｍより小さい自然数）個の割当領域グループに分配すると共に、各割当領域グループを配置するＮ個のリソースブロックグループを決定する。そして、制御信号割当部１０２は、中継局２００宛の下り制御信号を、各割当領域グループを構成するリソースブロック数と決定されたＮ個のリソースブロックグループとに基づいて特定されるＭ個のリソースブロックにマッピングする。こうしてＭ個のリソースブロックにマッピングされた下り制御信号は、中継局２００へ送信される。
【００３４】
図９は、本発明の実施の形態１に係る中継局２００の主要構成図である。中継局２００において、割当領域候補特定部２０５は、基地局１００から送信された割当領域情報を取得する。割当領域情報には、Ｍの値、Ｍ個のリソースブロックを分配する割当領域グループの数Ｎ（Ｎは、Ｍより小さい自然数）、及び各割当領域グループに割り当てられるリソースブロックグループの識別情報が含まれる。割当領域候補特定部２０５は、Ｍの値及びＮの値に基づいて、Ｍ個のリソースブロックを、Ｎ（Ｎは、Ｍより小さい自然数）個の割当領域グループに分配し、各割当領域グループを構成するリソースブロック数とリソースブロックグループの識別情報とに基づいて自局宛の下り制御信号がマッピングされているＭ個のリソースブロックを特定し、特定されたリソースブロックの識別情報を出力する。こうして特定されたＭ個のリソースブロックの信号を受信信号から抽出し、抽出された信号に対してブラインド復号が行われる。
【００３５】
[基地局の構成]
図１０は、本発明の実施の形態１に係る基地局１００の構成を示すブロック図である。図１０において、基地局１００は、割当領域候補決定部１０１と、制御信号割当部１０２と、誤り訂正符号化部１０３と、変調部１０４と、信号割当部１０５と、無線送信部１０６と、無線受信部１０７と、復調部１０８と、誤り訂正復号部１０９とを有する。
【００３６】
割当領域候補決定部１０１は、送信信号（主に、データ信号）及び制御信号をマッピングするリソース領域候補を決定する。
【００３７】
具体的には、割当領域候補決定部１０１は、中継局２００宛の下り制御信号（R-PDCCH信号）をマッピングするR-PDCCH割当領域候補（つまり、R-PDCCH割当領域フォーマット）を決定し、R-PDCCH割当領域候補情報を誤り訂正符号化部１０３へ出力する。このR-PDCCH割当領域候補情報には、中継局２００宛の下り制御信号（R-PDCCH信号）をマッピングするRBの数（つまり、virtual band widthを構成するRB数）、virtual band widthを構成するRB群をグルーピングするVBWグループ数（つまり、virtual band width分割数）、及び各VBWグループのマッピングを開始するRBG番号（つまり、RBG識別情報）が含まれる。なお、R-PDCCH割当領域候補情報は、誤り訂正符号化部１０３、変調部１０４、信号割当部１０５、及び無線送信部１０６を介して、higher layer signalingによって中継局２００へ送信される。また、ここでは、複数の中継局２００宛の複数の下り制御信号がインタリーブされて送信される場合を前提に説明する。
【００３８】
さらに、割当領域候補決定部１０１は、virtual band widthを構成するRB群を、R-PDCCH割当領域候補情報に基づいてRB単位で分配することにより、各VBWグループの構成RB数を決定する。そして、割当領域候補決定部１０１は、各VBWグループの構成RB数及び各VBWグループのマッピングを開始するRBG番号を含むR-PDCCHマッピング命令信号を制御信号割当部１０２へ出力する。なお、割当領域候補の決定処理については、後に詳しく説明する。
【００３９】
制御信号割当部１０２は、入力される制御信号（R-PDCCH信号）を、割当領域候補決定部１０１から受け取るR-PDCCHマッピング命令信号に基づいてマッピングする。具体的には、制御信号割当部１０２は、各VBWグループについて、R-PDCCHマッピング命令信号に含まれるRBG番号に対応するRBGの先頭RBから構成RB数分のRB群に、R-PDCCH信号をマッピングする。こうして得られた信号は、無線送信部１０６を介して中継局２００へ送信される。
【００４０】
誤り訂正符号化部１０３は、送信信号及びR-PDCCH割当領域候補情報を入力とし、入力信号を誤り訂正符号化し、変調部１０４へ出力する。
【００４１】
変調部１０４は、誤り訂正符号化部１０３から受け取る信号を変調し、変調信号を信号割当部１０５へ出力する。
【００４２】
信号割当部１０５は、制御部（図示せず）から受け取るデータマッピング制御信号に対応するリソース領域に変調部１０４から受け取る変調信号をマッピングし、無線送信部１０６へ出力する。具体的には、信号割当部１０５は、中継局２００宛のデータ信号については、中継局２００宛の下り制御信号に含まれるDL grantが示すリソース領域にマッピングする。また、信号割当部１０５は、移動局宛のデータ信号については、移動局宛の下り制御信号（PDCCH信号）に含まれるDL grantが示すリソース領域にマッピングする。ここで、制御部（図示せず）から受け取るデータマッピング制御信号の示すRBと、R-PDCCHマッピング命令信号の示すRBとを異なるようにする制御が為されている。
【００４３】
無線送信部１０６は、入力信号に対してアップコンバート等の無線送信処理を施し、アンテナを介して送信する。
【００４４】
無線受信部１０７は、中継局２００又は移動局から送信された信号をアンテナを介して受信し、ダウンコンバート等の無線処理を施した後に復調部１０８へ出力する。
【００４５】
復調部１０８は、入力信号を復調し、誤り訂正復号部１０９へ出力する。
【００４６】
誤り訂正復号部１０９は、入力信号を復号し、得られた受信信号を出力する。
【００４７】
[中継局２００の構成]
図１１は、本発明の実施の形態１に係る中継局２００の構成を示すブロック図である。図１１において、中継局２００は、無線受信部２０１と、信号分離部２０２と、復調部２０３と、誤り訂正復号部２０４と、割当領域候補特定部２０５と、R-PDCCH受信部２０６と、誤り訂正符号化部２０７と、変調部２０８と、信号割当部２０９と、無線送信部２１０とを有する。
【００４８】
無線受信部２０１は、基地局１００又は移動局から送信された信号をアンテナを介して受信し、ダウンコンバート等の無線処理を施した後に信号分離部２０２へ出力する。
【００４９】
信号分離部２０２は、割当領域候補特定部２０５から受け取るRB番号に対応するRBを受信信号から抽出し、抽出された信号をR-PDCCH受信部２０６へ出力する。ここで、割当領域候補特定部２０５から受け取るRB番号は、R-PDCCH信号がマッピングされたRBを示している。また、信号分離部２０２は、R-PDCCH受信部２０６から受け取るDL grantに基づいてデータ信号を抽出し、復調部２０３へ出力する。
【００５０】
復調部２０３は、入力信号を復調し、誤り訂正復号部２０４へ出力する。
【００５１】
誤り訂正復号部２０４は、入力信号を復号し、復号後の信号に含まれるR-PDCCH割当領域候補情報を割当領域候補特定部２０５へ出力するとともに、復号後の信号を誤り訂正符号化部２０７へ出力する。この信号は、誤り訂正符号化部２０７、変調部２０８、信号割当部２０９、及び無線送信部２１０を介して送信されることにより、基地局１００から送信された信号が中継局２００によって中継されることになる。
【００５２】
割当領域候補特定部２０５は、R-PDCCH割当領域候補情報を入力とする。このR-PDCCH割当領域候補情報には、上記した通り、中継局２００宛の下り制御信号（R-PDCCH信号）をマッピングするRBの数（つまり、virtual band widthを構成するRB数）、virtual band widthを構成するRB群をグルーピングするVBWグループの数（つまり、virtual band width分割数）、及び各VBWグループのマッピングを開始するRBG番号（つまり、RBG識別情報）が含まれる。
【００５３】
割当領域候補特定部２０５は、R-PDCCH割当領域候補情報に基づいて、virtual band widthを構成するRB群をRB単位でVBWグループに分配することにより、各VBWグループの構成RB数を特定する。そして、割当領域候補特定部２０５は、各VBWグループの構成RB数及び各VBWグループのマッピングを開始するRBG番号に基づいて、R-PDCCH信号がマッピングされているRBを特定し、特定されたRB番号を信号分離部２０２へ出力する。なお、割当領域候補の特定処理については、後に詳しく説明する。
【００５４】
R-PDCCH受信部２０６は、信号分離部２０２から受け取る信号に対してブラインド復号を行い、R-PDCCH信号を検出する。そして、R-PDCCH受信部２０６は、検出されたR-PDCCH信号に含まれるUL grantを信号割当部２０９へ出力する一方、DL grantを信号分離部２０２へ出力する。
【００５５】
誤り訂正符号化部２０７は、移動局から送信された中継局２００宛の送信データを入力とし、その送信データを誤り訂正符号化し、変調部２０８へ出力する。
【００５６】
変調部２０８は、入力信号を変調し、変調信号を信号割当部２０９へ出力する。
【００５７】
信号割当部２０９は、変調部２０８から受け取る、中継局２００宛の変調信号を、R-PDCCH受信部２０６から受け取るUL grantに従ってマッピングし、無線送信部２１０へ出力する。
【００５８】
無線送信部２１０は、入力信号に対してアップコンバート等の無線送信処理を施し、アンテナを介して送信する。
【００５９】
[基地局１００及び中継局２００の動作]
以上の構成を有する基地局１００及び中継局２００の動作について説明する。ここでは特に、割当領域候補の決定処理及び割当領域候補の特定処理について説明する。
【００６０】
基地局１００において、割当領域候補決定部１０１は、送信信号（主に、データ信号）及び制御信号をマッピングするリソース領域候補を決定する。
【００６１】
具体的には、割当領域候補決定部１０１は、中継局２００宛の下り制御信号（R-PDCCH信号）をマッピングするR-PDCCH割当領域候補（つまり、R-PDCCH割当領域フォーマット）を決定し、R-PDCCH割当領域候補情報を誤り訂正符号化部１０３へ出力する。このR-PDCCH割当領域候補情報には、中継局２００宛の下り制御信号（R-PDCCH信号）をマッピングするRBの数（つまり、virtual band widthを構成するRB数）、virtual band widthを構成するRB群をグルーピングするVBWグループ数（つまり、virtual band width分割数）、及び各VBWグループのマッピングを開始するRBG番号（つまり、RBG識別情報）が含まれる。
【００６２】
割当領域候補の決定処理の具体的な事例を、図１２を参照して説明する。図１２では、R-PDCCH割当領域候補１（図１２中では、virtual band width１と表示）は、中継局１及び中継局２に対して設定されている。また、R-PDCCH割当領域候補２（図１２中では、virtual band width２と表示）は、中継局３及び中継局４に対して設定されている。
【００６３】
図１２において、R-PDCCH割当領域候補１及びR-PDCCH割当領域候補２の両方ともに、構成RB数は４であり、VBWグループ数（つまり、virtual band width分割数）は２である。
【００６４】
従って、R-PDCCH割当領域候補１及びR-PDCCH割当領域候補２の両方ともに、各VBWグループの構成RB数は、２となる。
【００６５】
また、図１２において、R-PDCCH割当領域候補１については、２つのVBWグループのマッピングを開始するRBG番号は、それぞれRBG#0，RBG#4である。一方、R-PDCCH割当領域候補２については、２つのVBWグループのマッピングを開始するRBG番号は、それぞれRBG＃1，RBG#5である。
【００６６】
従って、図１２に示した例の場合には、割当領域候補決定部１０１は、R-PDCCH割当領域候補１についてのR-PDCCH割当領域候補情報として、構成RB数＝４、virtual band width分割数＝２、VBWグループのマッピングを開始するRBG番号＝RBG#0，RBG#4を含む情報を中継局２００に対して送信する。また、割当領域候補決定部１０１は、R-PDCCH割当領域候補２についてのR-PDCCH割当領域候補情報として、構成RB数＝４、virtual band width分割数＝２、VBWグループのマッピングを開始するRBG番号＝RBG＃1，RBG#5を含む情報を中継局２００に対して送信する。
【００６７】
さらに、割当領域候補決定部１０１は、virtual band widthを構成するRB群を、R-PDCCH割当領域候補情報に基づいてRB単位で分配することにより、各VBWグループの構成RB数を決定する。そして、割当領域候補決定部１０１は、各VBWグループの構成RB数及び各VBWグループのマッピングを開始するRBG番号を含むR-PDCCHマッピング命令信号を制御信号割当部１０２へ出力する。
【００６８】
図１２に示した例の場合には、R-PDCCH割当領域候補１についてのR-PDCCHマッピング命令信号には、各VBWグループの構成RB数＝２、各VBWグループのマッピングを開始するRBG番号＝RBG#0，RBG#4が含まれる。一方、R-PDCCH割当領域候補２についてのR-PDCCHマッピング命令信号には、各VBWグループの構成RB数＝２、各VBWグループのマッピングを開始するRBG番号＝RBG＃1，RBG#5が含まれる。
【００６９】
従って、制御信号割当部１０２は、R-PDCCH割当領域候補１についてのR-PDCCHマッピング命令信号に基づいて、図１２に示すように、RBG#0の先頭RBから２つのRBにR-PDCCH信号をマッピングすると共に、RBG#4の先頭RBから２つのRBにR-PDCCH信号をマッピングする。
【００７０】
また、制御信号割当部１０２は、R-PDCCH割当領域候補２についてのR-PDCCHマッピング命令信号に基づいて、図１２に示すように、RBG＃1の先頭RBから２つのRBにR-PDCCH信号をマッピングすると共に、RBG#5の先頭RBから２つのRBにR-PDCCH信号をマッピングする。
【００７１】
一方、中継局２００において、割当領域候補特定部２０５は、R-PDCCH割当領域候補情報を入力とする。このR-PDCCH割当領域候補情報には、上記した通り、中継局２００宛の下り制御信号（R-PDCCH信号）をマッピングするRBの数（つまり、virtual band widthを構成するRB数）、virtual band widthを構成するRB群をグルーピングするVBWグループの数（つまり、virtual band width分割数）、及び各VBWグループのマッピングを開始するRBG番号（つまり、RBG識別情報）が含まれる。
【００７２】
割当領域候補特定部２０５は、R-PDCCH割当領域候補情報に基づいて、virtual band widthを構成するRB群をRB単位でVBWグループに分配することにより、各VBWグループの構成RB数を特定する。そして、割当領域候補特定部２０５は、各VBWグループの構成RB数及び各VBWグループのマッピングを開始するRBG番号に基づいて、R-PDCCH信号がマッピングされているRBを特定する。
【００７３】
図１２に示した例の場合には、R-PDCCH割当領域候補１についてのR-PDCCH割当領域候補情報には、構成RB数＝４、virtual band width分割数＝２、VBWグループのマッピングを開始するRBG番号＝RBG#0，RBG#4が含まれる。また、R-PDCCH割当領域候補２についてのR-PDCCH割当領域候補情報には、構成RB数＝４、virtual band width分割数＝２、VBWグループのマッピングを開始するRBG番号＝RBG＃1，RBG#5が含まれる。
【００７４】
従って、割当領域候補特定部２０５は、R-PDCCH割当領域候補１についてのR-PDCCH割当領域候補情報に基づいて、R-PDCCH割当領域候補１に対応するインタリーブグループ１がマッピングされているRBとして、RBG#0の先頭RBから２つのRB、及び、RBG#4の先頭RBから２つのRBを特定することができる。
【００７５】
また、割当領域候補特定部２０５は、R-PDCCH割当領域候補２についてのR-PDCCH割当領域候補情報に基づいて、R-PDCCH割当領域候補２に対応するインタリーブグループ２がマッピングされているRBとして、RBG＃1の先頭RBから２つのRB、及び、RBG#5の先頭RBから２つのRBを特定することができる。
【００７６】
こうして、R-PDCCH割当領域候補１が設定されている中継局１及び中継局２は、DL grantが割当てられた場合、R-PDCCH割当領域候補１を構成するRBG#0及びRBG＃4の一部分が、R-PDCCH割当領域候補１のR-PDCCH領域に使用されていることが分かる。また、中継局１及び中継局２は、そのRBG#0及びRBG#４がR−PDSCHに割当てられた場合、他のR-PDCCH割当領域候補はそのRBGに含まれないと認識し、R-PDCCHに使用されたリソース以外のリソースがR-PDSCHに使用されることが分かる。
【００７７】
同様に、R-PDCCH割当領域候補２が設定されている中継局３及び中継局４は、R-PDCCH割当領域候補２を構成するRBG#１とRBG＃5の一部分が、R-PDCCH割当領域候補２のR-PDCCH領域に使用されていることが分かる。また、中継局３及び中継局４は、そのRBG#1及びRBG#5がR−PDSCHに割当てられた場合、R-PDCCHに使用されたリソース以外のリソースがR-PDSCHに使用されることが分かる。
【００７８】
従って、中継局２００に１つのRBG内には複数のvirtual band widthは混在しないと認識させることで、基地局１００が中継局２００にR-PDSCHを送信できるRBG数を増加させることができる。また、VBWグループ数を小さい値に限定することで、各VBWグループを構成するRB数を多くできるので、R-PDCCH信号を含まないRBGの数を増加させることができる。この結果として、移動局に対して割り当てることができるRBの数を増加させることができる。
【００７９】
なお、VBWグループ数を小さい値に限定するとダイバーシチ効果が低くなってしまう。因みに、VBWグループ数を増やすと、ダイバーシチ効果は、VBWグループ数が１又は２では非常に高いが、その数が増えるについてダイバーシチ効果の上昇度が収束していくことが知られている。従って、VBWグループ数２又は３に限定しても、R-PDCCHの受信品質にあまり影響を与えない場合がある。
【００８０】
〈比較技術〉
R-PDCCH割当領域候補に含まれないRBG（つまり、R-PDCCH信号がマッピングされないRBG）の数を多くすることは、図１３に示すようなR-PDCCH割当領域フォーマットによっても実現することができる。
【００８１】
すなわち、R-PDCCH割当領域候補１を構成するRBGと、R-PDCCH割当領域候補２を構成するRBGとを一致させる。そして、任意のRBGにおいて、R-PDCCH割当領域候補２を構成するRBは、R-PDCCH割当領域候補１を構成するRBから所定のRB数だけずらされる。図１３では、R-PDCCH割当領域候補１を構成するRBのオフセット値はゼロであり、R-PDCCH割当領域候補２を構成するRBのオフセット値は２である。
【００８２】
従って、R-PDCCHに使用されないRBGを、移動局又は中継局２００のデータに割当てることができる。
【００８３】
この場合の基地局１００及び中継局２００の構成について説明する。
【００８４】
比較技術での基地局１００において、割当領域候補決定部１０１は、中継局２００宛の下り制御信号（R-PDCCH信号）をマッピングするR-PDCCH割当領域候補を決定し、R-PDCCH割当領域候補情報を誤り訂正符号化部１０３へ出力する。
【００８５】
さらに、割当領域候補決定部１０１は、オフセット値を決定する。このオフセット値は、上記の通り、RBG内でどのRBからR-PDCCH信号をマッピングするかを示すものである。図１３の例では、オフセット値０，１，２は、RBG内の１番目のRB、２番目のRB、３番目のRBをそれぞれ示す。
【００８６】
上記したR-PDCCH割当領域候補情報には、中継局２００宛の下り制御信号（R-PDCCH信号）をマッピングするRBの数（つまり、virtual band widthを構成するRB数）、virtual band widthを構成するRB群をグルーピングするVBWグループ数（つまり、virtual band width分割数）、各VBWグループのマッピングを開始するRBG番号（つまり、RBG識別情報）、及びオフセット値が含まれる。ただし、ここでは、virtual band widthを構成するRB数と、VBWグループ数とは一致する。
【００８７】
また、割当領域候補決定部１０１は、第１のR-PDCCH割当領域候補及び第２のR-PDCCH割当領域候補を構成するRBに対して、同じRBGに属するRBを割り当てる。ただし、割当領域候補決定部１０１は、第１のR-PDCCH割当領域候補に対するオフセット値と、第２のR-PDCCH割当領域候補に対するオフセット値とを異ならせる。
【００８８】
また、比較技術での中継局２００において、中継局２００において、割当領域候補特定部２０５は、R-PDCCH割当領域候補情報を入力とする。このR-PDCCH割当領域候補情報には、上記した通り、中継局２００宛の下り制御信号（R-PDCCH信号）をマッピングするRBの数（つまり、virtual band widthを構成するRB数）、virtual band widthを構成するRB群をグルーピングするVBWグループ数（つまり、virtual band width分割数）、各VBWグループのマッピングを開始するRBG番号（つまり、RBG識別情報）、及びオフセット値が含まれる。
【００８９】
割当領域候補特定部２０５は、R-PDCCH割当領域候補情報に基づいて、virtual band widthを構成するRB群をRB単位でVBWグループに分配することにより、各VBWグループの構成RB数を特定する。そして、割当領域候補特定部２０５は、各VBWグループの構成RB数、各VBWグループのマッピングを開始するRBG番号、及びオフセット値に基づいて、R-PDCCH信号がマッピングされているRBを特定する。
【００９０】
しかしながら、R-PDCCH割当領域候補１及びR-PDCCH割当領域候補２の両方に含まれるRBGでは、図１３に示すように、DL grantに使用されないリソースは、2nd slotと、R-PDCCH信号が配置されないRBの1st slotとなる。R-PDCCH割当領域候補１が割当てられた中継局１は、R-PDCCH割当領域候補１のR-PDCCHをブラインドディコーディングし、自局宛のDL grantを検出すると、R-PDCCH割当領域候補１にR-PDCCHが配置されたことがわかる。しかし、R-PDCCH割当領域候補２は、中継局１がブラインドディコーディングするリソースとして設定されておらず、且つ、中継局１のDL grantも配置されないので、中継局１は、R-PDCCH割当領域候補２が設定されているかどうかを認識することができない。従って、R-PDCCH割当領域候補１及びR-PDCCH割当領域候補２の両方に含まれるRBGには、R-PDSCHを割当てることができない。R-PDSCHを割当てることができないと、2nd slotは、UL grantのみに使用されることになる（図１４参照）。
【００９１】
これに対して、実施の形態１で説明した技術では、R-PDCCH割当領域候補１を構成するRBGと、R-PDCCH割当領域候補２を構成するRBGとを異ならせると共に、各R-PDCCH割当領域候補の構成RBG数を少なくすることができるので、上記した「比較技術」で生じる問題は解決されている。
【００９２】
以上のように本実施の形態によれば、中継局宛の下り制御信号を、Ｍ（Ｍは、２以上の自然数）個のリソースブロックから構成される割当領域（上記説明では、R-PDCCH割当領域候補）にマッピングして送信する基地局１００において、割当領域候補決定部１０１が、Ｍ個のリソースブロックを、Ｎ（Ｎは、Ｍより小さい自然数）個の割当領域グループに分配すると共に、各割当領域グループを配置するＮ個のリソースブロックグループを決定し、制御信号割当部１０２が、中継局宛の下り制御信号を、各割当領域グループを構成するリソースブロック数と決定されたＮ個のリソースブロックグループとに基づいて特定されるＭ個のリソースブロックにマッピングする。
【００９３】
こうすることで、中継局宛の下り制御信号を含まないRBGの数を増加させることができるので、移動局に対するデータ信号を割り当てるリソースを増加させることができる。
【００９４】
割当領域候補決定部１０１は、１リソースブロック単位でＭ個のリソースブロックを分配する。
【００９５】
また、本実施の形態によれば、自局宛の下り制御信号を、Ｍ（Ｍは、２以上の自然数）個のリソースブロックから構成される割当領域で受信する中継局２００において、受信手段（無線受信部２０１、信号分離部２０２、復調部２０３、誤り訂正復号部２０４）が、Ｍの値、Ｍ個のリソースブロックを分配する割当領域グループの数Ｎ（Ｎは、Ｍより小さい自然数）、及び各割当領域グループに割り当てられるリソースブロックグループの識別情報を含む割当領域情報を受信し、割当領域候補特定部２０５が、Ｍの値及びＮの値に基づいて、Ｍ個のリソースブロックを、Ｎ（Ｎは、Ｍより小さい自然数）個の割当領域グループに分配し、各割当領域グループを構成するリソースブロック数とリソースブロックグループの識別情報とに基づいて自局宛の下り制御信号がマッピングされているＭ個のリソースブロックを特定する。
【００９６】
割当領域候補特定部２０５は、１リソースブロック単位でＭ個のリソースブロックを分配する。
【００９７】
なお、以上の説明では、R-PDCCH信号を受信する主体を中継局２００としたが、これに限定されるものではなく、移動局が主体であっても良い。
【００９８】
また、VBWグループの構成RB数がRBGサイズ（つまり、RBGの構成RB数）よりも大きい場合には、隣接するRBGのRBを、そのVBWグループの構成RBとする。
【００９９】
図１５では、R-PDCCH割当領域候補１（図１５中では、virtual band width１と表示）は、中継局１及び中継局２に対して設定されている。また、R-PDCCH割当領域候補２（図１５中では、virtual band width２と表示）は、中継局３及び中継局４に対して設定されている。
【０１００】
図１５において、R-PDCCH割当領域候補１については、構成RB数は４であり、VBWグループ数（つまり、virtual band width分割数）は２である。一方、R-PDCCH割当領域候補２については、構成RB数は８であり、VBWグループ数は２である。
【０１０１】
従って、R-PDCCH割当領域候補１については、各VBWグループの構成RB数は２となる。一方、R-PDCCH割当領域候補１については、各VBWグループの構成RB数は４となる。
【０１０２】
図１５において、R-PDCCH割当領域候補１については、２つのVBWグループのマッピングを開始するRBG番号は、それぞれRBG#0，RBG#4である。一方、R-PDCCH割当領域候補１については、２つのVBWグループのマッピングを開始するRBG番号は、それぞれRBG＃1，RBG#5である。
【０１０３】
従って、制御信号割当部１０２は、R-PDCCH割当領域候補１のR-PDCCH信号を、RBG#0の先頭RBから２つのRBにR-PDCCH信号をマッピングすると共に、RBG#4の先頭RBから２つのRBにR-PDCCH信号をマッピングする。
【０１０４】
一方、制御信号割当部１０２は、R-PDCCH割当領域候補１のR-PDCCH信号を、RBG#1の３つのRBとさらにRBG#2の先頭RBとにR-PDCCH信号をマッピングすると共に、RBG#5の３つのRBとさらにRBG#6の先頭RBとにR-PDCCH信号をマッピングする
【０１０５】
また、上記説明では、基地局１００がVirtual band width分割数を決定し中継局２００へ通知するとして説明したが、これに限定されるものではなく、システムで固定の値としても良い。
【０１０６】
また、Virtual band width分割数は、R-PDCCH割当領域候補のサイズ(つまり、構成RB数)によって決定されても良い（図１６参照）。例えば、R-PDCCH割当領域候補のサイズが６以下では、Virtual band width分割数を２とし、R-PDCCH割当領域候補のサイズが７以上では、Virtual band width分割数を３とすると、R-PDCCH割当領域候補１の構成RB数が８の場合には、Virtual band width分割数は３となり、R-PDCCH割当領域候補２の構成RB数が４の場合には、Virtual band width分割数は２となる。このように、同時に割当てられる複数のR-PDCCH割当領域候補のそれぞれのVirtual band width分割数を異ならせても良い。
【０１０７】
また、Virtual band width分割数は、システム帯域幅又はRBGサイズによって決定されても良い。
【０１０８】
[実施の形態２]
実施の形態２では、R-PDCCH割当領域候補を構成するRB群をVBWグループに分配する際の単位を、RBGサイズ単位とする。実施の形態２に係る基地局及び中継局の基本構成は、実施の形態１と同様であるので、図１０及び図１１を援用して説明する。
【０１０９】
実施の形態２の基地局１００において、割当領域候補決定部１０１は、実施の形態１と同様に、送信信号（主に、データ信号）及び制御信号をマッピングするリソース領域候補を決定する。
【０１１０】
具体的には、割当領域候補決定部１０１は、実施の形態１と同様に、中継局２００宛の下り制御信号（R-PDCCH信号）をマッピングするR-PDCCH割当領域候補（つまり、R-PDCCH割当領域フォーマット）を決定し、R-PDCCH割当領域候補情報を誤り訂正符号化部１０３へ出力する。このR-PDCCH割当領域候補情報には、中継局２００宛の下り制御信号（R-PDCCH信号）をマッピングするRBの数（つまり、virtual band widthを構成するRB数）、virtual band widthを構成するRB群をグルーピングするVBWグループ数（つまり、virtual band width分割数）、及び各VBWグループのマッピングを開始するRBG番号（つまり、RBG識別情報）が含まれる。
【０１１１】
ただし、実施の形態２の基地局１００において、割当領域候補決定部１０１は、virtual band widthを構成するRB群を、R-PDCCH割当領域候補情報に基づいてRBG単位で（つまり、RBGを構成するRBの数を単位として）分配することにより、各VBWグループの構成RB数を決定する。
【０１１２】
割当領域候補の決定処理の具体的な事例を、図１７を参照して説明する。
【０１１３】
図１７において、R-PDCCH割当領域候補の構成RB数は８であり、VBWグループ数（つまり、virtual band width分割数）は３である。そして、RBGサイズは、２である。従って、８つのRBから２RBずつ３つのVBWグループに分配していくと、VBWグループ１の構成RB数は、４となり、VBWグループ２，３の構成RB数は、それぞれ２となる。
【０１１４】
こうすることで、RBGを構成する複数のRBの内の一部のみにR-PDCCH信号がマッピングされる可能性が低くなるので、R-PDCCH信号を含まないRBGの数をさらに増加させることができる。この結果として、移動局に対して割り当てることができるRBの数を増加させることができる。
【０１１５】
一方、実施の形態２の中継局２００において、割当領域候補特定部２０５は、実施の形態１と同様に、R-PDCCH割当領域候補情報を入力とする。このR-PDCCH割当領域候補情報には、上記した通り、中継局２００宛の下り制御信号（R-PDCCH信号）をマッピングするRBの数（つまり、virtual band widthを構成するRB数）、virtual band widthを構成するRB群をグルーピングするVBWグループの数（つまり、virtual band width分割数）、及び各VBWグループのマッピングを開始するRBG番号（つまり、RBG識別情報）が含まれる。
【０１１６】
ただし、実施の形態２の中継局２００において、割当領域候補特定部２０５は、R-PDCCH割当領域候補情報に基づいて、virtual band widthを構成するRB群をRBG単位で（つまり、RBGを構成するRBの数を単位として）VBWグループに分配することにより、各VBWグループの構成RB数を特定する。
【０１１７】
以上のように本実施の形態によれば、基地局１００において、割当領域候補決定部１０１は、リソースブロックグループを構成するリソースブロックの数を単位としてＭ個のリソースブロックを分配する。
【０１１８】
リソースブロックグループを構成する複数のリソースブロックの内の一部のみに下り制御信号（R-PDCCH信号）がマッピングされる可能性が低くなるので、下り制御信号（R-PDCCH信号）を含まないリソースブロックグループの数をさらに増加させることができる。この結果として、移動局に対して割り当てることができるリソースブロックの数を増加させることができる。
【０１１９】
[実施の形態３]
実施の形態３では、任意のR-PDCCH割当領域候補から得られる複数のVBWグループを、１つのRBGサブセットに優先的にマッピングする。さらに、実施の形態３では、第１のR-PDCCH割当領域候補及び第２のR-PDCCH割当領域候補から得られる複数のVBWグループについても、１つのRBGサブセットに優先的にマッピングする。実施の形態３に係る基地局及び中継局の基本構成は、実施の形態１と同様であるので、図１０及び図１１を援用して説明する。
【０１２０】
実施の形態３の基地局１００において、割当領域候補決定部１０１は、実施の形態１及び実施の形態２と同様に、送信信号（主に、データ信号）及び制御信号をマッピングするリソース領域候補を決定する。
【０１２１】
具体的には、割当領域候補決定部１０１は、実施の形態１及び実施の形態２と同様に、中継局２００宛の下り制御信号（R-PDCCH信号）をマッピングするR-PDCCH割当領域候補（つまり、R-PDCCH割当領域フォーマット）を決定し、R-PDCCH割当領域候補情報を誤り訂正符号化部１０３へ出力する。このR-PDCCH割当領域候補情報には、中継局２００宛の下り制御信号（R-PDCCH信号）をマッピングするRBの数（つまり、virtual band widthを構成するRB数）、virtual band widthを構成するRB群をグルーピングするVBWグループ数（つまり、virtual band width分割数）、及び各VBWグループのマッピングを開始するRBG番号（つまり、RBG識別情報）が含まれる。
【０１２２】
ただし、実施の形態３の基地局１００において、割当領域候補決定部１０１は、任意のR-PDCCH割当領域候補から得られる複数のVBWグループを、１つのRBGサブセットに優先的に割り当てる。また、R-PDCCH割当領域候補が複数存在する場合には、第１のR-PDCCH割当領域候補及び第２のR-PDCCH割当領域候補から得られる複数のVBWグループについても、１つのRBGサブセットに優先的に割り当てる。
【０１２３】
割当領域候補の決定処理の具体的な事例を、図１８を参照して説明する。
【０１２４】
図１８では、R-PDCCH割当領域候補１（図１８中では、virtual band width１と表示）は、中継局１及び中継局２に対して設定されている。また、R-PDCCH割当領域候補２（図１８中では、virtual band width２と表示）は、中継局３及び中継局４に対して設定されている。
【０１２５】
図１８において、R-PDCCH割当領域候補１及びR-PDCCH割当領域候補２の両方ともに、構成RB数は４であり、VBWグループ数（つまり、virtual band width分割数）は２である。
【０１２６】
従って、R-PDCCH割当領域候補１及びR-PDCCH割当領域候補２の両方ともに、各VBWグループの構成RB数は、２となる。
【０１２７】
さらに、R-PDCCH割当領域候補１のVBWグループ及びR-PDCCH割当領域候補２のVBWグループの両方ともに、RBGサブセット０が割り当てられている。
【０１２８】
従って、図１８において、R-PDCCH割当領域候補１については、２つのVBWグループのマッピングを開始するRBG番号は、それぞれRBG#0，RBG#6とされている。一方、R-PDCCH割当領域候補２については、２つのVBWグループのマッピングを開始するRBG番号は、それぞれRBG＃3，RBG#9とされている。
【０１２９】
ここで、RBG#0,#3,#6,#9のそれぞれでは、R-PDCCHに使用されていないRBが１RBずつ存在する。これらR-PDCCHに使用されていないRB群のRBGサブセットは、サブセット0で共通している。従って、type1の割当によってサブセット0が割り当てられた移動局又は中継局２００に対して、これらR-PDCCHに使用されていないRB群を割り当てることができる。
【０１３０】
以上のように本実施の形態によれば、基地局１００において、割当領域候補決定部１０１は、中継局２００宛の下り制御信号がマッピングされるＭ個のリソースブロックとして、同一のRBGサブセットに属するリソースブロックグループに含まれるリソースブロックを優先的に割り当てる。
【０１３１】
こうすることで、中継局２００宛のデータ信号（R-PDSCH信号）が割り当てられるリソースブロックグループに含まれるリソースブロックを、type1割当が使用される移動局に割り当てることができる。
【０１３２】
なお、VBWグループの構成RB数がRBGサイズ（つまり、RBGの構成RB数）よりも大きい場合には、VBWグループの構成RBの内、１つのRBGに割り当てしきれずに余った構成RBを、そのRBGが属するRBGサブセットに含まれる他のRBGに割り当てても良い。
【０１３３】
図１９では、R-PDCCH割当領域候補１（図１９中では、virtual band width１と表示）は、中継局１及び中継局２に対して設定されている。
【０１３４】
図１９において、R-PDCCH割当領域候補１については、構成RB数は８であり、VBWグループ数（つまり、virtual band width分割数）は２である。従って、R-PDCCH割当領域候補１については、各VBWグループの構成RB数は４となる。
【０１３５】
図１９では、各RBGの構成RB数は３である。従って、図１９に示す例では、各VBWグループの構成RBのすべてを１つのRBGに割り当てることはできない。そこで、RBG＃0に割り当てしきれなかった１つのRBは、RBG＃0が属するサブセット０に含まれる次のRBGであるRBG＃3に割り当てられる。同様に、RBG＃6に割り当てしきれなかった１つのRBは、RBG＃6が属するサブセット０に含まれる次のRBGであるRBG＃9に割り当てられる。
【０１３６】
[他の実施の形態]
（１）上記各実施の形態では、図６に示した下りデータ信号の割当方法が採用されることを前提に説明を行った。しかしながら、本発明はこれに限定されるものではなく、次の割当方法に対しても適用することができる。
【０１３７】
図２０には、下り制御信号がインタリーブされて送信される方法及びType0の割当方法が採用されている場合の例が示されている。
【０１３８】
対象RBGに対応する割当ビットが”1”の場合には、DL grant が配置されていないRB(図２０中の(c)部分)が、下りデータ信号を配置する領域（R-PDSCH領域）として割り当てられる。一方、対象RBGに対応する割当ビットが”0”の場合には、そのRBGには下りデータ信号を配置する領域は割り当てられない。
【０１３９】
上記した割当方法が採用されている場合の、割当領域候補の決定処理の具体的な事例を、図１９を参照して説明する。
【０１４０】
図２１では、R-PDCCH割当領域候補１（図２１中では、virtual band width１と表示）は、中継局１及び中継局２に対して設定されている。また、R-PDCCH割当領域候補２（図２１中では、virtual band width２と表示）は、中継局３及び中継局４に対して設定されている。
【０１４１】
図２１において、R-PDCCH割当領域候補１及びR-PDCCH割当領域候補２の両方ともに、構成RB数は４であり、VBWグループ数（つまり、virtual band width分割数）は２である。
【０１４２】
従って、R-PDCCH割当領域候補１及びR-PDCCH割当領域候補２の両方ともに、各VBWグループの構成RB数は、２となる。
【０１４３】
また、図２１において、R-PDCCH割当領域候補１については、２つのVBWグループのマッピングを開始するRBG番号は、それぞれRBG#0，RBG#4である。一方、R-PDCCH割当領域候補２については、２つのVBWグループのマッピングを開始するRBG番号は、それぞれRBG＃1，RBG#5である。
【０１４４】
R-PDCCH割当領域候補１が設定されている中継局１及び中継局２は、DL grantが割当てられた場合、R-PDCCH割当領域候補１を構成するRBG#0及びRBG＃4の２RBが、R-PDCCH割当領域候補１のR-PDCCH領域に使用されていることが分かる。また、中継局１及び中継局２は、そのRBG#0及びRBG#４がR−PDSCHに割当てられた場合、他のR-PDCCH割当領域候補はそのRBGに含まれないと認識し、R-PDCCHに使用された２RB以外のリソースがR-PDSCHに使用されることが分かる。
【０１４５】
同様に、R-PDCCH割当領域候補２が設定されている中継局３及び中継局４は、R-PDCCH割当領域候補２を構成するRBG#１とRBG＃5の２RBが、R-PDCCH割当領域候補２のR-PDCCH領域に使用されていることが分かる。また、中継局３及び中継局４は、そのRBG#1及びRBG#5がR−PDSCHに割当てられた場合、R-PDCCHに使用された２RB以外のリソースがR-PDSCHに使用されることが分かる。
【０１４６】
従って、中継局２００に１つのRBG内には複数のvirtual band widthは混在しないと認識させることで、基地局１００が中継局２００にR-PDSCHを送信できるRBG数を増加させることができる。また、VBWグループ数を小さい値に限定することで、各VBWグループを構成するRB数を多くできるので、R-PDCCH信号を含まないRBGの数を増加させることができる。この結果として、移動局に対して割り当てることができるRBの数を増加させることができる。
【０１４７】
（２）上記各実施の形態では、下り制御信号がインタリーブされて送信される方法が採用される場合について説明した。しかしながら、上記各実施の形態は下り制御信号がインタリーブされない場合にも適用可能であり、この場合には、R-PDCCH割当領域候補を、中継局ごとに割り当てられるR-PDCCHのサーチスペースと置き換えれば良い。
【０１４８】
（３）実施の形態１で説明した比較技術は、次の下りデータ信号の割当方法に対しても適用することができる。
【０１４９】
図２２に示すように、対象RBGに対応する割当ビットが”1”の場合には、2nd slot部分(図２２中の(b)及び(c-2)で示される部分)が、下りデータ信号を配置する領域（R-PDSCH領域）として割り当てられる。一方、対象RBGに対応する割当ビットが”0”の場合には、そのRBGには下りデータ信号を配置する領域は割り当てられない。
【０１５０】
この割当方法では、DL grantが配置されるRBGの1st slotを下りデータ信号に対して割り当てることはできない。しかしながら、この割当方法は、同一RBGに複数のR-PDCCH割当領域候補が配置される場合に、下りデータ信号に対してリソースを割り当てやすくなるという利点がある。
【０１５１】
図２３には、実施の形態１で説明した比較技術に対して、この割当方法を適用した例が示されている。こうすることで、中継局２００宛の下りデータ信号に対して2nd slotのみを割り当てるので、中継局宛の下り制御信号（R-PDCCH）が配置されているRBGの2nd slotに、中継局１，２，３，４宛の下りデータ信号（R-PDSCH）を配置することができる。
【０１５２】
（４）上記各実施の形態では、本発明をハードウェアで構成する場合を例にとって説明したが、本発明はハードウェアとの連携においてソフトウェアでも実現することも可能である。
【０１５３】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１５４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１５５】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１５６】
２０１０年８月１０日出願の特願２０１０−１７９４８６の日本出願に含まれる明細書、図面および要約書の開示内容は、すべて本願に援用される。
【産業上の利用可能性】
【０１５７】
本発明の基地局、中継局、送信方法、及び受信方法は、データ信号に対する効率的なリソース割当を実現するものとして有用である。
【符号の説明】
【０１５８】
１００  基地局
１０１  割当領域候補決定部
１０２  制御信号割当部
１０３，２０７  誤り訂正符号化部
１０４，２０８  変調部
１０５，２０９  信号割当部
１０６，２１０  無線送信部
１０７，２０１  無線受信部
１０８，２０３  復調部
１０９，２０４  誤り訂正復号部
２００  中継局
２０２  信号分離部
２０５  割当領域候補特定部
２０６  R-PDCCH受信部
【図１】
2012020536.tif 000003
【図３】
2012020536.tif 000004
【図４】
2012020536.tif 000005
【図８】
2012020536.tif 000006
【図９】
2012020536.tif 000007
【図１０】
2012020536.tif 000008
【図１１】
2012020536.tif 000009
【図２】
2012020536.tif 000010
【図５】
2012020536.tif 000011
【図６】
2012020536.tif 000012
【図７】
2012020536.tif 000013
【図１２】
2012020536.tif 000014
【図１３】
2012020536.tif 000015
【図１４】
2012020536.tif 000016
【図１５】
2012020536.tif 000017
【図１６】
2012020536.tif 000018
【図１７】
2012020536.tif 000019
【図１８】
2012020536.tif 000020
【図１９】
2012020536.tif 000021
【図２０】
2012020536.tif 000022
【図２１】
2012020536.tif 000023
【図２２】
2012020536.tif 000024
【図２３】
2012020536.tif 000025
【国際調査報告】
2012020536.tif 000026
2012020536.tif 000027